(57)【要約】      （修正有）【課題】棒状部の形状に関わりなく装着することができ、しかも、必要時以外は名前等の個人情報を隠蔽することができる所有者情報表示具を提供する。【解決手段】所有者情報表示具は、棒状部に名前等を表示する表示具であり、表示具２は、帯状の面ファスナーによって形成され、表面側に所有者情報３ａが表示される表示部３が形成され、面ファスナーは、棒状部の外周を一周し、かつ少なくとも表示部を覆う長さに形成され、棒状部の外周に１周巻き付けた面ファスナーの先端側によって所有者情報を覆うことにより隠蔽するとともに、面ファスナーの先端側のフック面２ｂを表面側のループ面２ａに着脱自在に固着するように構成する。【選択図】図２
0003193773.tif 000002
【実用新案登録請求の範囲】
【請求項１】
棒状部に名前等を表示する表示具であって、
前記表示具は、帯状の面ファスナーによって形成され、表面側に所有者情報が表示される表示部が形成され、
前記面ファスナーは、前記棒状部の外周を１周し、かつ少なくとも前記表示部を覆う長さに形成され、
前記棒状部の外周に１周巻き付けた前記面ファスナーの先端側によって前記所有者情報を覆うことにより隠蔽するとともに、前記面ファスナーの先端側を前記表面側に着脱自在に固着するように構成した所有者情報表示具。
【請求項２】
帯状の面ファスナーの一端にバックル部が設けられ、棒状部の外周に１周巻き付けられた前記面ファスナーの先端側を前記バックルに挿通して折り返し、この先端側により前記所有者情報を覆うことにより隠蔽する請求項１に記載の所有者情報表示具。
【考案の詳細な説明】
【技術分野】
【０００１】  本考案は、杖や傘等の棒状に形成された棒状部に装着され、名前等を表示する所有者情報表示具に関するものである。
【背景技術】
【０００２】  杖や傘等の可搬用具は、各自の所有物であり、特に杖は、その使用者に適した仕様のものを使用する必要があるが、杖は、色や形状の種類がほぼ同じであり、見分けができないことが多々あった。そこで、自他の杖を見分けやすくするには、一般に、杖の柄（手に持つ部分）に対して、直接に名前等を書いたり、名前シール等を貼り付けたり、名札を入れた名札ケースを紐で結びつけたりしていた。一方、傘の場合は、店舗や公共場所の傘立てに置いたときの盗難を避けるために、傘の柄に名前等を書いたり、名前シール等を貼り付ける他、傘の生地を縛るバンドに対して、名前等を書いたりすることもあった。その他、特開２００６−２２７５４９号公報（特許文献１）には、環状のゴムに飾りを取り付け、この飾りに氏名を書くことが提案されている。
【先行技術文献】
【特許文献】
【０００３】
【特許文献１】特開２００６−２２７５４９号公報
【考案の概要】
【考案が解決しようとする課題】
【０００４】  杖や傘の柄に名前等を書いた場合や名前シール等を貼り付けた場合は、文字が手でこすられて消えてしまったり、雨水で汚れて読めなくなったりする欠点があった。また、名札ケースを取り付けた場合は、紐が切れて紛失したりする欠点があった。一方、傘の生地の部分をとじこむバンドに名前等を書いた場合は、バンド自体、目立たないので、名前等も当然に読みにくいという欠点があった。さらに、いずれの場合も、名前等を露出して表示していることから、個人情報を自ら漏洩するものであり、この個人情報漏洩による詐欺等の犯罪の被害に遭遇する危険があった。【０００５】  また、杖や傘等の柄に特許文献１に示される環状のゴムを装着する場合、一方端から装着部分までの外径がほぼ等しいときには、環状のゴムを一方端から挿入することが可能であるが、装着個所の両側の外径寸法が大きい場合や、ループ状に形成されている場合は、環状のゴムを装着できない問題があった。【０００６】  本考案が解決しようとする課題は、棒状部の形状に関わりなく装着することができ、しかも、必要時以外は名前等の個人情報を隠蔽することができる所有者情報表示具を提供することにある。
【課題を解決するための手段】
【０００７】  そこで、本考案による所有者情報表示具は、棒状部に名前等を表示する表示具であって、前記表示具は、帯状の面ファスナーによって形成され、表面側に所有者情報が表示される表示部が形成され、前記面ファスナーは、前記棒状部の外周を１周し、かつ少なくとも前記表示部を覆う長さに形成され、前記棒状部の外周に１周巻き付けた前記面ファスナーの先端側によって前記所有者情報を覆うことにより隠蔽するとともに、前記面ファスナーの先端側を前記表面側に着脱自在に固着するように構成している。【０００８】  また、帯状の面ファスナーの一端にバックル部が設けられ、棒状部の外周に１周巻き付けられた前記面ファスナーの先端側を前記バックルに挿通して折り返し、この先端側により前記所有者情報を覆うことにより隠蔽することが望ましい。
【考案の効果】
【０００９】  本考案による所有者情報表示具によれば、所有者情報が表示された表示具を帯状の面ファスナーによって形成し、表面側の表示部に表示された所有者情報を面ファスナーの先端側によって前記所有者情報を覆うことにより隠蔽するので、通常の状態においては個人情報の漏洩を防止することができる。また、面ファスナーの先端側を剥がすことにより、表示部に表示された所有者情報を目視等で確認することができ、その後、先端側を元の状態に復帰すれば、所有者情報を容易に隠蔽することができる。例えば、傘や杖等に装着した場合は、表示具を目立つ個所に装着することにより、個人情報を隠蔽した状態であっても盗難を未然に防止することが可能となる。また、帯状の面ファスナーを傘や杖等の棒状に形成された部分の棒状部に巻き付けるだけで装着することができるので、棒状部の両側の外径が大きい場合やループ状に形成されている場合であっても、容易に装着することができる。しかも安価に提供できるので、特に杖を必要とするお年寄りや介護者が幅広く使用することが可能となる。【００１０】  また、帯状の面ファスナーの一端にバックル部を設け、棒状部の外周に１周巻き付けた面ファスナーの先端側をバックルに挿通して折り返すことにより、面ファスナーの先端側を剥がして表示部に表示された所有者情報を確認する場合にも、表示具が棒状部から離脱して落下することを未然に防止することが可能となる。
【図面の簡単な説明】
【００１１】
【図１】  本考案に関わる所有者情報表示具を杖に装着した状態を示す正面図である。
【図２】  図１に示す所有者情報表示具の斜視図である。
【図３】  図１に示す所有者情報表示具の断面図である。
【図４】  （Ａ）（Ｂ）は、所有者情報表示具の態様を示す平面図である。
【図５】  所有者情報表示具を装着した状態を示す正面図である。
【図６】  本考案に関わる所有者情報表示具の他の実施例を示す斜視図である。
【考案を実施するための形態】
【００１２】  本考案による所有者情報表示具は、棒状部に名前等を表示する表示具であって、前記表示具は、帯状の面ファスナーによって形成され、表面側に所有者情報が表示される表示部が形成され、前記面ファスナーは、前記棒状部の外周を１周し、かつ少なくとも前記表示部を覆う長さに形成され、前記棒状部の外周に１周巻き付けた前記面ファスナーの先端側によって前記所有者情報を覆うことにより隠蔽するとともに、前記面ファスナーの先端側を前記表面側に着脱自在に固着するように構成している。
【００１３】  以下、図面に基づいて本考案の実施例を詳細に説明する。図１は、所有者情報を記した表示具２を杖１に装着した状態を示している。表示具２は、帯状の面ファスナーによって形成され、表面には表示部３が形成され、この表示部３に所有者情報３ａが表示され、図１の拡大円に示すように、面ファスナーが杖１の棒状部１ａに巻き付けられている。
【００１４】  表示具２を形成する面ファスナーは、図４（Ａ）に示すように帯状に形成され、表面の表示部３には、氏名、住所、電話番号、或いは、識別番号等の所有者情報３ａが表示されている。この表示部３は、面ファスナーの表面に所有者情報３ａを直接記載することが望ましいが、予め所有者情報３ａが記載されたシールやタグを接着固定または縫合しても良い。また、表示具２の長さは、棒状部１ａの外周寸法の約１．５〜２倍に設定することが好ましい。さらに、表示具２の一端側は、略四角形の環状に形成されたバックル４に取り付けられている。そして、表示具２の面ファスナーの表面には、例えば、バックル４から表示部３の間に小さなループを多数並べたル−プ面２ａが形成され、先端側の裏面には、細かいカギ状に形成されたフック面２ｂが形成されている。このル−プ面２ａとフック面２ｂは逆にしても良い。
【００１５】  なお、図２に示すように、バックル４から表示部３の間の表面にもル−プ面２ａを形成する一方、このル−プ面２ａに対応するように、裏面の先端側からバックル４の対応位置までフック面２ｂを形成しても良い。このように、部分的にル−プ面２ａとフック面２ｂを形成を形成する場合、予め、片面にル−プ面２ａを形成した所定の長さの面ファスナーと、片面にフック面２ｂを形成した所定の長さの面ファスナーを用意し、これらを適宜に組み合わせて接合することにより表示具２を形成することができる。また、表示部３に所有者情報３ａが表示可能であれば、表示具２の表面の全面にル−プ面２ａを形成し、裏面の全面にフック面２ｂを形成するようにしても良い。
【００１６】  このように構成された表示具２を杖１に装着する方法について説明する。まず、図４（Ａ）に示す表示具２を杖１の棒状部１ａに巻き付ける。その後、表示具２の先端側をバックル４に挿通し、表示具２が杖１の棒状部１ａにきつく巻き付けられた状態とする。そして、図２に示すように、表示具２をバックル４の位置で折り曲げ、先端側を逆方向に巻き付け、表面の表示部３に表示された所有者情報３ａを覆う。そして、図３に示すように、先端をバックル４の近傍で表示具２の表面に接合することにより、ル−プ面２ａとフック面２ｂが付き、杖１の棒状部１ａに表示具２が固着される。この状態では、図５に示すように、表示部３に表示された所有者情報３ａが表示具２によって覆われることから隠蔽される。
【００１７】  表示部３に表示された所有者情報３ａを確認するときは、表示具２の先端を持って引き上げることによりル−プ面２ａとフック面２ｂが離れ、所有者情報３ａを露出させることにより確認することができる。このとき、表示具２をバックル４の位置で折り曲げているので、杖１の棒状部１ａから表示具２が離脱することがない。なお、前述したように、バックル４の対応位置から表示部３の間の表面にもル−プ面２ａを形成する一方、このル−プ面２ａに対応するように、裏面の先端側からバックル４の対応位置までフック面２ｂを形成した場合には、表示具２の先端を持ち上げて所有者情報３ａを露出させても、バックル４の近傍ではル−プ面２ａとフック面２ｂが付着しているので、棒状部１ａからの表示具２の離脱が未然に防止され一層好ましい。
【００１８】  図４（Ｂ）は、表示具２の他の実施例を示している。前述した図４（Ａ）に示した表示具２と相違する点は、表示具２を形成する面ファスナーの一端側に、略四角形の環状に形成されたバックル部２ｃを一体に形成したことである。このように一体形成することによって、表示具２の部品点数が減少して安価に製造することが可能となる。
【００１９】  図６は、本考案による所有者情報表示具の他の実施例を示している。表示具１０は、前述した実施例と同様に、面ファスナーによって形成されている。そして、表示具１０の裏面には、粘着剤或いは接着剤を塗布した粘着層１０ａが形成されている。この粘着層１０ａの粘着剤は両面粘着テープに変えても良い。また、粘着剤を塗布する長さは、杖１の棒状部１ａの外周の約１周分或いはそれ以下としている。
【００２０】  一方、表面の表示部１１には所有者情報１１ａが表示されている。また、表示具１０の長さは、前述した実施例と同様に、棒状部１ａの外周寸法の約１．５〜２倍に設定されている。そして、表示具１０の表面にはル−プ面１０ｂが形成され、先端側の裏面にはフック面１０ｃが形成されている。
【００２１】  次に、表示具１０を図１に示した杖１に装着する方法について説明する。まず、表示具１０を杖１の棒状部１ａの所定位置に巻き付け、裏面に形成した粘着層１０ａによって粘着する。その後、さらに表示具１０の先端側を巻き付け、表面の表示部１１に表示された所有者情報１１ａを覆う。そして、先端側の裏面に形成されたフック面１０ｃを表示具１０の表面に形成されたル−プ面１０ｂに接合する。これにより、表示部１１に表示された所有者情報１１ａが表示具１０によって覆われることから隠蔽することができる。
【００２２】  以上、本発明を実施例に基づき具体的に説明したが、本発明は上記実施例に限定されるものではなく、その要旨を逸脱しない範囲で種々変形可能であることは言うまでもない。前述した実施例において、棒状部として杖を例示したが、両側の外径が大きいもの、或いは環状に形成されている携行品、椅子などの家具等に形成されている棒状部分であっても良い。また、表示具を単純な帯状に形成したが、上端側、下端側の端縁を波形に形成したり、或いは、表示具の外周面や内周面に模様を形成しても良い。また、表示具の適宜の位置に透孔を形成して識別情報としても良い。
【符号の説明】
【００２３】  １    杖
１ａ  棒状部
２    表示具
３    表示部
３ａ  所有者情報
４    バックル
【図１】
0003193773.tif 000003
【図２】
0003193773.tif 000004
【図３】
0003193773.tif 000005
【図４】
0003193773.tif 000006
【図５】
0003193773.tif 000007
【図６】
0003193773.tif 000008